(57)【特許請求の範囲】
【請求項１】
切妻屋根の屋根組を有する木造建築物であって、桁行方向に２列に並設された柱上に軒桁が列毎に載置され、桁行方向両端の柱の位置には軒桁間を繋ぐ梁材がそれぞれ配設されて成る一方、前記屋根組は、複数の屋根トラスユニットが、前記軒桁上の前記柱の位置毎に立設され、前記屋根トラスユニットは、山形に組み合わされた垂木部材と；この垂木部材の内股部を繋ぐ横架材と、この横架材と前記垂木部材の頂部とを、横架材に略垂直に連結する真束材と；この真束材の下方部両側から垂木部材側に斜設された斜材とから構成され、妻側両端の屋根トラスユニットの横架材は、他の屋根トラスユニットの横架材よりも前記頂部寄りの位置に配設され、少なくともひとつの他の屋根トラスユニットの横架材は、軒桁上に載置される位置に配設されていることを特徴とする木造建築物。
【請求項２】
妻側両端の屋根トラスユニットは、他の屋根トラスユニットよりも軽量であることを特徴とする請求項１に記載の木造建築物。
【請求項３】
複数の屋根トラスユニットの少なくともひとつは、垂木部材の頂部と、この頂部から垂木部材が軒桁上に載置される位置までの任意の部分とによって形成される三角形状の部分の前後両面に固定された、前記三角形状の部分と略同形状のガセット板とを包含して構成されていることを特徴とする請求項１又は２に記載の木造建築物。
【請求項４】
少なくともひとつの他の屋根トラスユニットは、左右の斜材と垂木部材とのそれぞれの連結部と横架材とを、横架材に略垂直に連結する小屋束材を有することを特徴とする請求項１乃至３のいずれか１項に記載の木造建築物。
【請求項５】
複数の屋根トラスユニットの少なくともひとつは、柱と垂木部材を連結する方杖板を有することを特徴とする請求項１乃至４のいずれか１項に記載の木造建築物。
【請求項６】
妻側両端以外の柱の少なくともひとつの位置に、妻側両端の屋根トラスユニットと同じ屋根トラスユニットが配設されていることを特徴とする請求項１乃至５のいずれか１項に記載の木造建築物。
【請求項７】
桁行方向に２列に並設された柱上に軒桁が列毎に載置され、桁行方向両端の柱の位置には軒桁間を繋ぐ梁材がそれぞれ配設されて成る木造建築物の屋根組以外の部分に、予め複数製作された請求項１乃至６に記載の屋根トラスユニットのうち、妻側両端の屋根トラスユニットは軒桁上の妻側の柱の位置に、他の屋根トラスユニットは軒桁上の他の柱の位置に各々立設し、各々の屋根トラスユニットの隣り合う垂木部材同士の対向面に連結板を固定して、屋根トラスユニット同士を連結する木造建築物の建築方法。
【発明の詳細な説明】
【技術分野】
【０００１】
本発明は、屋根トラスユニットを用いた木造建築物及びその建築方法に関するものである。
【背景技術】
【０００２】
周知のとおり、切妻屋根を有する木造建築物の木造軸組構法において、容易に屋根組を構築するための手段として、屋根ユニット部材をあらかじめ工場で製造し、現場で屋根ユニット部材をクレーンで吊り上げて軒桁上に設置する工法が採用されてきた。
【０００３】
これらの工法においては、屋根組を容易に構築するだけでなく、充分な強度を確保することも求められる。そのため、従来から、木造建築物の構築の容易化を図りつつ、充分な強度を確保するための技術として、ユニット化した屋根トラスに関する種々の技術が提案されている(特許文献１参照)。
【０００４】
また、本件出願人も、以前にトラス構造にガセット板を包含して構成した屋根トラスユニットに関する技術を提案し(特許文献２参照)、これによって、強度に優れた屋根組を有する木造建築物を構築することができ、しかも、屋根トラスユニットの運搬及び施工作業を容易化して安全性の向上及び工期の短縮も図れることができるようになった。
【０００５】
これらの技術において、屋根トラスユニットの強度を向上させるためには、トラス腹材やガセット板などの部材を付加していくため、重量が重たくなる傾向になる。
【０００６】
しかしながら、同じ屋根トラスユニットを複数並べて屋根組の構築をする場合、一番大きな荷重のかかる箇所に対応できる強度を有する屋根トラスユニットを全箇所に使用するため、強度、重量の面において余計な労力やコストをかけている場合があるという問題があった。
【０００７】
一方、従来においては、屋根トラスユニットを配置する箇所によって、違う構造の屋根トラスユニットを選択的に用いる技術が提案されている（特許文献３参照）。
【０００８】
しかしながら、この技術に関しては、小屋束の有る屋根トラスユニットの数だけ小屋梁を設ける必要があるため、強度を向上させようとするほど、屋根組より下の軸組部分の構築に手間がかかり、コストも高くなる。
【０００９】
また、全ての箇所を小屋束の無い屋根トラスユニットで構成した場合、屋根組の強度が著しく低下し、屋根が倒壊する危険性があるため、母屋を入れて母屋束を立てる構造にする必要がある等、同様に屋根組の構築に手間がかかり、コストも高くなるという問題があった。
【先行技術文献】
【特許文献】
【００１０】
【特許文献１】特開２００７−６３７６４号公報
【特許文献２】特許５１７４７８６号公報
【特許文献３】特開２００５−１４６６４４号公報
【発明の概要】
【発明が解決しようとする課題】
【００１１】
本発明は、従来技術に前記問題があったことに鑑みて為されたものであり、その目的とするところは、軽量でも強度が確保でき、かつ容易に建築できて省力化、低コスト化を図ることができるだけでなく、重量の重い屋根葺き材にも対応できる屋根トラスユニットを組み合わせた木造建築物、及びその建築方法を提供することにある。
【課題を解決するための手段】
【００１２】
本発明者が前記技術的課題を解決するために採用した手段を、添付図面を参照して説明すれば、次のとおりである。
【００１３】
即ち、本発明は、桁行方向に２列に並設された柱４・４…上に軒桁５を列毎に載置し、桁行方向両端の柱４′・４′の位置には軒桁５・５間を繋ぐ梁材６をそれぞれ配設して成る一方、前記屋根組は、複数の屋根トラスユニット１・２・３を、前記軒桁５上の前記柱４の位置毎に立設し、前記屋根トラスユニット１・２・３は、山型に組み合わされた垂木部材11・21・31と；この垂木部材11・21・31の内股部を繋ぐ横架材12・22・32と、この横架材12・22・32と前記垂木部材11・21・31の頂部とを、横架材12・22・32に略垂直に連結する真束材13・23・33と；この真束材13・23・33の下方部両側から垂木部材11・21・31側に斜設された斜材14・24・34とから構成し、妻側両端の屋根トラスユニット１の横架材12は、他の屋根トラスユニット２・３の横架材22・32よりも前記頂部寄りの位置に配設し、少なくともひとつの他の屋根トラスユニット２・３の横架材22・32は、軒桁５上に載置される位置に配設した点に特徴がある。
【００１４】
また、妻側両端の屋根トラスユニット１を、他の屋根トラスユニット２・３よりも軽量であることとするという技術的手段を採用することもできる。
【００１５】
更に、複数の屋根トラスユニット１・２・３の少なくともひとつを、垂木部材11・21・31の頂部と、この頂部から垂木部材11・21・31が軒桁５上に載置される位置までの任意の部分とによって形成される三角形状の部分の前後両面に固定された、前記三角形状の部分と略同形状のガセット板16・26とを包含して構成するという技術的手段を採用することもできる。
【００１６】
また更に、少なくともひとつの他の屋根トラスユニット３を、左右の斜材34と垂木部材31とのそれぞれの連結部と横架材32とを、横架材32に略垂直に連結する小屋束材36を有することとするという技術的手段を採用することもできる。
【００１７】
また更に、複数の屋根トラスユニット１・２・３の少なくともひとつを、柱４と垂木部材11・21・31を連結する方杖板７を有することとするという技術的手段を採用することもできる。
【００１８】
また更に、妻側両端以外の柱４の少なくともひとつの位置に、妻側両端の屋根トラスユニット１と同じ屋根トラスユニットを配設するという技術的手段を採用することもできる。
【００１９】
一方、桁行方向に２列に並設された柱４・４…上に軒桁５を列毎に載置し、桁行方向両端の柱４′・４′の位置には軒桁５・５間を繋ぐ梁材６をそれぞれ配設して成る木造建築物の屋根組以外の部分に、予め複数製作された屋根トラスユニット１・２・３のうち、妻側両端の屋根トラスユニット１を軒桁５・５上の妻側の柱４′・４′の位置に、他の屋根トラスユニット２・３を軒桁上の他の柱４・４の位置にそれぞれ立設し、各々の屋根トラスユニット１・２・３の隣り合う垂木部材11・21・31…同士の対向面に連結板８を固定して、屋根トラスユニット１・２・３同士を連結するという技術的手段を採用することもできる。
【発明の効果】
【００２０】
本発明では、横架材の配置の違う屋根トラスユニットを前記位置に立設したことで、軒桁中央付近では屋根トラスユニットにより充分な強度が確保できると共に、妻側両端付近では屋根トラスユニットだけでなく、壁と梁材によっても荷重を支えることができ、瓦などの重量の重い屋根葺き材にも対応できる。
【００２１】
また、部分的に軽量な屋根トラスユニットを使用できるから、屋根組を容易に建築できて省力化、低コスト化を図ることができる。
【００２２】
また、垂木部材の三角形状の部分の前後両面に、三角形状の部分と略同形状のガセット板を設けることで、重量の増加は軽微でありながらも、強度を向上させることができる。
【００２３】
また、他の屋根トラスユニットにおいて、左右の斜材と横架材とを、連結する小屋束材を設けることで、更に強度を向上させることができる。
【００２４】
更に、柱と垂木部材を連結する方杖板を設けることで、更に強度を向上させることができる。
【００２５】
他方、他の屋根トラスユニットの少なくともひとつを、妻側両端の屋根トラスユニットと同一にすることで、必要な箇所にのみ強度の高い屋根トラスユニットを配置し、それ以外の箇所には軽量の屋根トラスユニットを設けることができる。
【００２６】
一方、予め複数製作された屋根トラスユニットを現場で順次立設する建築方法により、部材の運搬が容易で、建築現場において施工作業の容易化及び工期の短縮を図ることができる。
【００２７】
以上のように、本発明によって、軽量で強度が確保でき、かつ容易に建築できて省力化、低コスト化を図ることができるだけでなく、重量の重い屋根葺き材にも対応できる屋根トラスユニットを組み合わせた木造建築物、及びその建築方法を提供できることから、本発明の実用的価値は頗る高い。
【図面の簡単な説明】
【００２８】
【図１】本発明の実施例１における木造建築物を表わす全体斜視図である。
【図２】本発明の第一の屋根トラスユニットを表わす全体斜視図及び分解斜視図である。
【図３】本発明の第二の屋根トラスユニットを表わす全体斜視図及び分解斜視図である。
【図４】本発明の各屋根トラスユニットを軒桁上に設置した状態を表わす正面図である。
【図５】本発明の実施例１における木造建築物の屋根組の構造を表した分解斜視図である。
【図６】本発明の実施例２における木造建築物を表わす全体斜視図である。
【図７】本発明の実施例３における木造建築物を表わす全体斜視図である。
【図８】本発明の第三の屋根トラスユニットを表わす全体斜視図及び分解斜視図である。
【発明を実施するための形態】
【００２９】
『実施例１』
本発明の実施例１を、図１から図５に基づいて以下に説明する。ちなみに同図において、符号１で指示するものは、第一の屋根トラスユニットであり、符号２で指示するものは、第二の屋根トラスユニットである。また符号４で指示するものは、柱であり、符号５で指示するものは、軒桁であり、符号６で指示するものは、梁材である。更に、符号７で指示するものは、方杖板であり、符号８で指示するものは、連結板であり、符号Ａで指示するものは木造建築物である。
【００３０】
[木造建築物の構成]
[１]木造建築物の基本構成について
本実施例の木造建築物（図１参照）では、桁行方向に２列に並設された柱４・４…上に軒桁５を列毎に載置し、桁行方向両端の柱４′・４′の位置には軒桁５・５間を梁間方向に繋ぐ梁材６をそれぞれ配設している。ここで、軒桁５・５間は３間〜４間（およそ６ｍ〜８ｍ）であり、柱４・４…間は666mmである。なお、これらの寸法は一例であり、適宜変更することができる。
【００３１】
そして、後述する第一の屋根トラスユニット１を、軒桁５上の妻側両端の柱４′・４′の位置に立設している。この位置は屋根を上面側から見たときに、屋根トラスユニット１と梁材６、柱４′がちょうど重なるように見える位置であり、各々の中心が揃うように配設するのが好ましい。
【００３２】
また、後述する第二の屋根トラスユニット２を、軒桁５上の柱４・４…の位置に立設している。この位置は屋根を上面側から見たときに、屋根トラスユニット２と柱４がちょうど重なるように見える位置であり、前記同様、各々の中心が揃うように配設するのが好ましい。
【００３３】
更に、各屋根トラスユニット１・２…の後述する垂木部材11・21…に張り付けた垂木部材11・21…と同じ幅の板材から成る厚み調整材15・25…と、柱４′・４…とを、方杖板７で所定の角度で連結している（図１〜図４参照）。
【００３４】
この方杖板７は木造建築物Ａに対して、梁間方向にかかる荷重に対する補強板であるが、強度的に許容できる場合には取付けなくてもよく、また部分的に取付けても良い。また、二枚の板材で垂木部材11、21を挟み込むように取り付けても良い。
【００３５】
また、後述する第二の屋根トラスユニット２は二枚の横架材22・22で垂木部材21を挟むように取り付けられているため、方杖板７はその横架材22・22に更に重なるように取り付けなければならない。そのため、第二の屋根トラスユニット２に方杖板７を取付ける際には、柱４と同じ幅の板材から成る柱の厚み調整材41を、柱４の軒桁寄りの位置に張り付け、この柱の厚み調整材41と垂木部材21に張り付けた厚み調整材25とを、方杖板７で所定の角度で連結している（図４ｂ参照）。
【００３６】
そして、隣り合う屋根トラスユニット１・２、若しくは屋根トラスユニット２・２同士の対向面に、連結板８・８…を釘やビス等の止着部材（図示せず）で固定して、隣り合う屋根トラスユニット１・２、若しくは屋根トラスユニット２・２同士を連結している。
【００３７】
このとき、屋根の強度向上及び施工の容易化のため、連結板８・８…の固定位置を、屋根を上面側から見たときに、連結板８・８…のピッチの半分の位置に順次交互にずらして、千鳥配置とするのが好ましい（図１参照）。なお、連結板８・８…は千鳥配置でなく、直列に配置されていても構わない。
【００３８】
また、本実施例では、屋根トラスユニット１・２の頂部付近に、二本の連結板８・８を寄せて直列に配置することによって頂部付近の強度を高めている。そしてまた、本実施例では、前記連結板８に厚さ91mm以下の木板材を使用しているが、屋根の強度及び重量バランスを考慮して厚さ30〜76mmのものを使用するのがより好ましい。
【００３９】
なお、屋根トラスユニットの連結に関しては、必要に応じて横架材12・22…同士を振れ止め材（図示しない）で連結しても良いし、真束材13・23…同士を小屋筋交い（図示しない）で連結してもよい。
【００４０】
そして、屋根トラスユニット１・２…の上側に野地板Ｒ（部分省略図示）が張り付けられていることにより、任意の屋根葺き材（図示せず）を施工できるようになっている。屋根葺き材は、例えばアルミニウム・亜鉛合金めっき鋼板のような軽量のものでも構わないし、瓦のような重量の重いものでも構わない。
【００４１】
[２]第一の屋根トラスユニットの基本構成について
本実施例の第一の屋根トラスユニット１（図２参照）は、二枚の板材を山型に組み合わせた垂木部材11と、垂木部材11の内股部を横架材12で連結すると共に、前記垂木部材11の頂部と横架材12の中央部には真束材13を連結し、更に真束材13の下部両側と垂木部材11とを斜材14・14で連結している。
【００４２】
そして、垂木部材11の頂部と、横架材12とによって形成される三角形状の部分の前後両面に固定された、前記三角形状の部分と略同形状のガセット板16・16を固定している。
【００４３】
なお、本実施例では、ガセット板16・16に安価で耐久性に優れた構造用合板を使用し、この構造用合板製のガセット板16・16を、三角形状の部分に重ね合わせて、その周縁部を10cm間隔で釘打ちすることにより固定している。
【００４４】
また、本実施例では、垂木部材11の頂部と、横架材12とによって形成される三角形状の部分にガセット板16・16を張り付けたが、垂木部材11の頂部と、この頂部から垂木部材11が軒桁５・５上に載置される位置までの任意の部分とによって形成される三角形状の部分内であれば、ガセット板の形状を変更しても良い。
【００４５】
このようにすることで、第一の屋根トラスユニット１に加わる荷重は、垂木部材11と横架材12の内側に設けた真束材13や斜材14・14およびガセット板16・16 により効果的に分散吸収できる。
【００４６】
一方、垂木部材11の各長手方向における中央部よりも軒桁５・５側の一部分には、方杖板７を取付けるための厚み調整材15・15が取り付けられている。この厚み調整材15は、垂木部材11の厚みが柱４′の厚みよりも薄い板材を使用しているため、各々の取り付け面が略面一となるように、垂木部材11側の厚みを調整する目的で取付けるものである。
【００４７】
[３]第二の屋根トラスユニットの基本構成について
本実施例の第二の屋根トラスユニット２（図３参照）は、前記第一の屋根トラスユニット１同様、二枚の板材が山型に組み合わせた垂木部材21と、垂木部材21の内股部を横架材22で連結すると共に、前記垂木部材21の頂部と横架材22の中央部には真束材23を連結し、更に真束材23の下部両側と垂木部材21とを斜材24・24で連結している。
【００４８】
ここで、横架材22は二枚の薄板材から成り、垂木部材21、真束材23を挟み込むようにして垂木部材21の内股部を連結している。
【００４９】
また、本実施例では斜材24・24は、真束材23と横架材22とが交差する位置から垂木部材21側に、所定の角度で斜設されている。なお、本実施例では斜材24・24は、横架材22とは重ならないように斜設されているが、重なるように斜設しても構わない。
【００５０】
更に、横架材22は、軒桁５上に立設する際に、ちょうど軒桁５上に載置される位置に配設されている。即ち、横架材22の下面側が、軒桁５の上面側と同じ位置になるように、取付ける（図４ｂ参照）。
【００５１】
このようにすることで、第二の屋根トラスユニット２の下側に梁材が無くとも、横架材22が梁材の代わりとなって、木造建築物Ａの強度を全体的に高めている。
【００５２】
[４]屋根トラスユニットの組合せについて
本実施例では、妻側両側の柱４′・４′の位置の屋根トラスユニットには第一の屋根トラスユニット１を、それ以外の柱４・４の位置の屋根トラスユニットには第二の屋根トラスユニット２を用いている（図１参照）。ここで、各屋根トラスユニットの間隔は、柱４・４…間と同じ666mmに設定されている。
【００５３】
第一の屋根トラスユニット１の横架材12は軒桁５上には載置されていないが、第一の屋根トラスユニット１の下には梁材６が通っており、この梁材６と柱４′・４′によって形成される壁（図示しない）によっても、第一の屋根トラスユニット１に加わる荷重を受けることができる。
【００５４】
したがって、妻側両端に立設される第一の屋根トラスユニット１には、第二の屋根トラスユニット２ほどの耐荷重は求められなくてもよく、横架材12の取り付け位置を頂部寄りに設定することで短くし、軽量化を図っている。
【００５５】
これにより、強度、重量の面において過剰とならず、部材の運搬、施工等において、省力化、低コスト化を図ることができる。
【００５６】
「木造ユニット式建築構造体の建築方法」
次に、上記木造建築物Ａの建築方法について説明する。まず、本実施形態では、土台Ｂ状に柱４・４…を桁行方向に２列に並設する。そして、柱４・４…上に軒桁５を列毎に載置する。更に、桁行方向両端の柱４′・４′の位置には軒桁５・５間を梁間方向に繋ぐ梁材６をそれぞれ配設する（図５参照）。
【００５７】
更に、第一の屋根トラスユニット１を軒桁５上の妻側の一端の柱４′・４′の位置に立設し、第二の屋根トラスユニット２をその隣の柱４・４の位置に立設し、それを順次繰り返して、妻側の他端の柱４′に第一の屋根トラスユニット１を立設して屋根トラスユニットの設置を完了する。
【００５８】
次に、隣り合う屋根トラスユニット１・２、若しくは屋根トラスユニット２・２同士の対向面に、連結板８・８…を釘やビス等の止着部材（図示せず）で固定して、隣り合う屋根トラスユニット１・２、若しくは屋根トラスユニット２・２同士を連結する。
【００５９】
更に、各屋根トラスユニット１・２…の垂木部材11・21…に張り付けた厚み調整材15・25…と、柱４′・４…とを、方杖板７で所定の角度で連結する（図４ａ、図４ｂ、図５参照）。
【００６０】
そして、屋根トラスユニット１・２…の上側に野地板Ｒ（部分省略図示）を張り付け、任意の屋根葺き材（図示せず）を施工する。これにより効率的に木造建築物の構築を行うことが可能となる。
【００６１】
なお、本実施例では、屋根トラスユニットを一つずつクレーンで吊り上げて配置しているが、地上で予め屋根トラスユニット同士を連結板８によって連結しておき、それをクレーンで吊り上げることもできる。また、工場で予め屋根トラスユニット同士を連結板８によって連結した屋根ユニットにして、それを運搬、設置することもできる。
【００６２】
『実施例２』
本発明の実施例２を図６に基づいて以下に説明する。ちなみに同図における符号は実施例１と共通である。
【００６３】
[木造建築物の構成]
[５]木造建築物の基本構成について
本実施例の木造建築物（図６参照）では、実施例１の基本構成に対して、妻側両端以外の柱４・４の位置の一部にも、第一の屋根トラスユニット１が立設されている点が異なっている。また、軒桁５・５間は実施例１同様３間〜４間（およそ６ｍ〜８ｍ）であるが、柱４・４…間は500mmである点においても、実施例１と異なっている。
【００６４】
[６]屋根トラスユニットの組合せについて
本実施例では、妻側両側の柱４′・４′の位置、及びその隣の柱４・４の位置の屋根トラスユニットには第一の屋根トラスユニット１を、更にその隣の柱４・４の位置の屋根トラスユニットには第二の屋根トラスユニット２を、そして桁行方向中央部の柱４・４の位置には第一の屋根トラスユニットを用いている。ここで、各屋根トラスユニットの間隔は、柱４・４…間と同じ500mmに設定されている。なお、これらの寸法は一例であり、適宜変更することができる。
【００６５】
本実施例では、実施例１よりも柱４・４…間及び屋根トラスユニット間の間隔が狭くなっており、屋根組の強度が高くなっている。そのため、妻側両端以外の柱４・４上の位置において、一部の位置では梁材６の代わりとなる横架材を軒桁６上に載置しなくても強度を確保することができる。
【００６６】
これにより、実施例１よりも第二の屋根トラスユニット２の使用量が減り、部材の運搬、施工等において、更に省力化、低コスト化を図ることができる
【００６７】
ここで、本実施例の屋根トラスユニットの組み合わせは、桁行方向中央部の第一の屋根トラスユニット１を中心として、桁行方向に対称になるように並設されているが、建築物内部の壁や梁の配置によっては、第一の屋根トラスユニット１と第二の屋根トラスユニット２を桁行方向に非対称になるように組み合わせても良い。
【００６８】
『実施例３』
本発明の実施例３を図７、図８に基づいて以下に説明する。ちなみに同図における符号３は第三の屋根トラスユニットであり、その他の符号は実施例１と共通である。
【００６９】
[木造建築物の構成]
[７]木造建築物の基本構成について
本実施例の木造建築物（図７参照）の基本構成は、実施例２と同様である。
【００７０】
[８]第三の屋根トラスユニットの基本構成について
本実施例の第三の屋根トラスユニット３（図８参照）は、実施例２同様、二枚の板材が山型に組み合わせた垂木部材31と、垂木部材31の内股部を横架材32で連結すると共に、前記垂木部材31の頂部と横架材32の中央部には真束材33を連結し、更に真束材33の下部両側と垂木部材31とを斜材34・34で連結している。
【００７１】
また、横架材32は二枚の薄板材から成り、垂木部材31を挟み込むようにして垂木部材31の内股部を連結しているが、真束材33は挟み込んでいない点が実施例２と異なっている。
【００７２】
ここで、垂木部材31の各長手方向において、頂部から横架材32までの部分には、方杖板７を取付けるための厚み調整材35・35が取り付けられており、真束材33は頂部の厚み調整材35と横架材32に重なるように取り付けられている。
【００７３】
また、斜材34・34は、真束材33と横架材32とが交差する位置から垂木部材31側に、所定の角度で斜設されている。ここで、斜材34は厚み調整材35と横架材32に重なるように取り付けられている。なお、本実施例では斜材34・34は、横架材32と重なるように斜設されているが、重ならないように斜設しても構わない。
【００７４】
そして、斜材34・34と垂木部材31・31とが交差する位置から横架材32側に、横架材32に垂直になるように小屋束材36・36が取り付けられている。ここで、小屋束材36は厚み調整材35と横架材32に重なるように取り付けられている。
【００７５】
このようにすることで、第三の屋根トラスユニット３には、第二の屋根トラスユニット２のようなガセット板が無くとも、充分な強度を確保することができる。
【００７６】
[９]屋根トラスユニットの組合せについて
本実施例では、実施例２に対して、第二の屋根トラスユニット２の部分を第三の屋根トラスユニット３に置き換えた点が異なる（図７参照）。
【００７７】
小屋束材36を有する第三の屋根トラスユニット３を用いていることにより、屋根からの垂直荷重を充分に支えることができるため、瓦等の重たい屋根葺き材を用いる場合だけでなく、積雪等による荷重が加わる場合等にとっても、より効果的である。
【００７８】
本発明は、概ね上記のように構成されるが、本発明は図示の実施形態に限定されるもの
では決してなく、「特許請求の範囲」の記載内において種々の変更が可能であって、例え
ば、第三の屋根トラスユニット３にガセット板を取り付ける等、求められる強度に応じて自由に変更することができる。
【００７９】
また、屋根トラスユニットの組み合わせは、図示の実施形態以外にも、妻側の屋根トラスユニット以外を全て第三の屋根トラスユニット３にすることもできる。また、建築物の桁行方向の長さによって、３以上の種類の屋根トラスユニットを組み合わせることもでき、上記の何れのものも本発明の技術的範囲に属する。
【産業上の利用可能性】
【００８０】
近年、建築分野においては、屋根部材をユニット化して建築作業を容易にする技術が普及しているが、従来よりも更に容易でありながらも、充分な強度を確保でき、低コストで建築できる木造建築物や建築工法の開発が求められている。そのような中で、本発明の屋根トラスユニットを組み合わせた木造建築物、及びその建築方法は、軽量で強度が確保でき、かつ容易に建築できて省力化、低コスト化を図ることができるだけでなく、重量の重い屋根葺き材にも対応できる有用な技術であるため、その産業上の利用価値は非常に高い。
【符号の説明】
【００８１】
１  第一の屋根トラスユニット
11  垂木部材
12  横架材
13  真束材
14  斜材
15  厚み調整材
16  ガセット板
２  第二の屋根トラスユニット
21  垂木部材
22  横架材
23  真束材
24  斜材
25  厚み調整材
26  ガセット板
３  第三の屋根トラスユニット
31  垂木部材
32  横架材
33  真束材
34  斜材
35  厚み調整材
36  小屋束材
４  柱
41  柱の厚み調整材
４′桁行方向両端の柱
５  軒桁
６  梁材
７  方杖板
８  連結板
Ａ  木造建築物
Ｂ  土台
Ｒ  野地板
【図１】
0006931904.tif 000002
【図２】
0006931904.tif 000003
【図３】
0006931904.tif 000004
【図４】
0006931904.tif 000005
【図５】
0006931904.tif 000006
【図６】
0006931904.tif 000007
【図７】
0006931904.tif 000008
【図８】
0006931904.tif 000009